(57)【要約】【課題】既存の現像装置を有効利用してデジタル画像の現像を行うことができる写真処理装置及び写真処理装置の制御方法並びにプログラムを提供すること。【解決手段】画像処理装置１から送られた画像データに基づいて画像を露光して潜像を形成する露光手段１０と該露光手段１０で形成された潜像を現像可視化する現像手段２０とを有する写真処理装置１において、前記露光手段１０は、前記現像手段２０の種別情報を設定するための設定部１１と、該設定部１１で設定された現像手段２０の種別情報を登録する登録部１２と、該登録部１２に登録された種別情報を取得する取得部１３と、前記種別情報と表示内容を対応づけたテーブル１４から前記取得部１３で取得した種別情報に対応する表示内容を抽出する抽出部１５と、抽出した表示内容を表示する表示部１６とを有することを特徴とする写真処理装置。【選択図】          図１
2005043589.tif 000002
【特許請求の範囲】
【請求項１】
画像処理装置から送られた画像データに基づいて画像を露光して潜像を形成する露光手段と該露光手段で形成された潜像を現像可視化する現像手段とを有する写真処理装置において、
前記露光手段は、前記現像手段の種別情報を設定するための設定部と、該設定部で設定された現像手段の種別情報を登録する登録部と、該登録部に登録された種別情報を取得する取得部と、前記種別情報と表示内容を対応づけたテーブルから前記取得部で取得した種別情報に対応する表示内容を抽出する抽出部と、抽出した表示内容を表示する表示部とを有することを特徴とする写真処理装置。
【請求項２】
画像処理装置から送られた画像データに基づいて画像を露光して潜像を形成する露光手段と該露光手段で形成された潜像を現像可視化する現像手段とを有する写真処理装置において、
前記露光手段は、前記現像手段の種別情報を設定するための設定部と、該設定部で設定された現像手段の種別情報を登録する登録部と、該登録部に登録された種別情報を取得する取得部と、前記種別情報と表示内容を対応づけたテーブルから前記取得部で取得した種別情報に対応する表示内容を抽出する抽出部と、抽出した表示内容を前記画像処理装置に送出する送出部とを有することを特徴とする写真処理装置。
【請求項３】
画像処理装置から送られた画像データに基づいて画像を露光して潜像を形成する露光手段と該露光手段で形成された潜像を現像可視化する現像手段とを有する写真処理装置において、
前記露光手段は、前記現像手段の種別情報を設定するための設定部と、該設定部で設定された現像手段の種別情報を登録する登録部と、該登録部に登録された種別情報を取得する取得部と、前記種別情報と表示内容を対応づけたテーブルから前記取得部で取得した種別情報に対応する表示内容を抽出する抽出部と、抽出した表示内容を表示する表示部と、抽出した表示内容を前記画像処理装置に送出する送出部とを有することを特徴とする写真処理装置。
【請求項４】
前記表示内容は、写真プリントサイズ又は写真処理液の補充剤に対応する項目のいずれかを含むことを特徴とする請求項１、２又は３記載の写真処理装置。
【請求項５】
前記テーブルは、種別情報を写真処理液の補充剤のいずれかと対応づけた第１のテーブルと、前記写真処理液の補充剤と表示内容を対応づけた第２のテーブルとからなることを特徴とする請求項４記載の写真処理装置。
【請求項６】
前記写真処理液の補充剤は、液体型補充剤又は固体型補充剤であることを特徴とする請求項４又は５記載の写真処理装置。
【請求項７】
前記露光手段と現像手段とが別体に構成されることを特徴とする請求項１、２、３、４、５又は６記載の写真処理装置。
【請求項８】
画像処理装置から送られた画像データに基づいて画像を露光して潜像を形成する露光手段と該露光手段で形成された潜像を現像可視化する現像手段とを有する写真処理装置を制御する制御方法において、
前記現像手段の種別情報を設定するための設定工程と、該設定工程で設定された現像手段の種別情報を登録する登録工程と、該登録工程において登録された種別情報を取得する取得工程と、前記種別情報と表示内容を対応づけたテーブルから前記取得工程で取得した種別情報に対応する表示内容を抽出する抽出工程と、抽出した表示内容を表示する表示工程とを有することを特徴とする写真処理装置の制御方法。
【請求項９】
画像処理装置から送られた画像データに基づいて画像を露光して潜像を形成する露光手段と該露光手段で形成された潜像を現像可視化する現像手段とを有する写真処理装置を制御する制御方法において、
前記現像手段の種別情報を設定するための設定工程と、該設定工程で設定された現像手段の種別情報を登録する登録工程と、該登録工程において登録された種別情報を取得する取得工程と、前記種別情報と表示内容を対応づけたテーブルから前記取得工程で取得した種別情報に対応する表示内容を抽出する抽出工程と、抽出した表示内容を前記画像処理装置に送出する送出工程とを有することを特徴とする写真処理装置の制御方法。
【請求項１０】
画像処理装置から送られた画像データに基づいて画像を露光して潜像を形成する露光手段と該露光手段で形成された潜像を現像可視化する現像手段とを有する写真処理装置を制御する制御方法において、
前記現像手段の種別情報を設定するための設定工程と、該設定工程で設定された現像手段の種別情報を登録する登録工程と、該登録工程において登録された種別情報を取得する取得工程と、前記種別情報と表示内容を対応づけたテーブルから前記取得工程で取得した種別情報に対応する表示内容を抽出する抽出工程と、抽出した表示内容を表示する表示工程と、該表示内容を前記画像処理装置に送出する送出工程とを有することを特徴とする写真処理装置の制御方法。
【請求項１１】
前記表示内容は、写真プリントサイズ又は写真処理液の補充剤に対応する項目のいずれかを含むことを特徴とする請求項８、９又は１０記載の写真処理装置の制御方法。
【請求項１２】
前記テーブルは、種別情報を写真処理液の補充剤と対応づけた第１のテーブルと、前記写真処理液の補充剤と表示内容を対応づけた第２のテーブルとからなることを特徴とする請求項１１記載の写真処理装置の制御方法。
【請求項１３】
前記写真処理液の補充剤は、液体型補充剤又は固体型補充剤であることを特徴とする請求項１１又は１２記載の写真処理装置の制御方法。
【請求項１４】
請求項８乃至請求項１３の何れかに記載の写真処理装置の制御方法を露光手段に実行させるプログラムであって、露光手段内に格納されることを特徴とするプログラム。
【発明の詳細な説明】
【０００１】
【発明の属する技術分野】
本発明は、写真処理装置及び写真処理装置の制御方法並びにプログラムに関し、詳しくは、任意の仕様の現像手段を用いることができる写真処理装置及び写真処理装置の制御方法並びにプログラムに関する。
【０００２】
【従来の技術】
従来、顧客が撮影した写真フィルムをラボ店に現像依頼した場合、ラボに設置された写真現像装置により露光撮影されたフィルムを現像可視化し、該現像されたフィルムに光を投影して焼き付けプリントを行っていた。
【０００３】
このように、ラボ店では、顧客が持ち込んだ撮影済みの写真フィルムをそのまま現像処理しているため、現像装置とプリント装置があれば、写真フィルムのプリントができた。
【０００４】
しかし、近年では、デジタル化技術が進歩し、写真の分野でも、撮影した画像を一旦デジタル化して適宜の画像処理を施した後、再びフィルムに露光して、現像・プリントすることが行われている。このようなデジタル処理を中間工程で含む場合、デジタル処理を行う画像処理装置以外に、写真処理装置として、現像手段の他にデジタル処理した画像をフィルムに焼き付けるための露光手段が必要となる。
【０００５】
このような流れに対応するためにラボ店は、新たに、現像手段と露光手段を有する写真処理装置を導入することも考えられるが、資源のリユースの観点から、既存の現像手段を有効活用することが望まれる。
【０００６】
【発明が解決しようとする課題】
そこで、本発明の課題は、既存の現像装置を有効利用してデジタル画像の現像を行うことができる写真処理装置及び写真処理装置の制御方法並びにプログラムを提供することにある。
【０００７】
本発明の他の課題は、本明細書の以下の記載によって明らかになる。
【０００８】
【課題を解決するための手段】
【０００９】
（請求項１）画像処理装置から送られた画像データに基づいて画像を露光して潜像を形成する露光手段と該露光手段で形成された潜像を現像可視化する現像手段とを有する写真処理装置において、前記露光手段は、前記現像手段の種別情報を設定するための設定部と、該設定部で設定された現像手段の種別情報を登録する登録部と、該登録部に登録された種別情報を取得する取得部と、前記種別情報と表示内容を対応づけたテーブルから前記取得部で取得した種別情報に対応する表示内容を抽出する抽出部と、抽出した表示内容を表示する表示部とを有することを特徴とする写真処理装置。
【００１０】
（請求項２）画像処理装置から送られた画像データに基づいて画像を露光して潜像を形成する露光手段と該露光手段で形成された潜像を現像可視化する現像手段とを有する写真処理装置において、前記露光手段は、前記現像手段の種別情報を設定するための設定部と、該設定部で設定された現像手段の種別情報を登録する登録部と、該登録部に登録された種別情報を取得する取得部と、前記種別情報と表示内容を対応づけたテーブルから前記取得部で取得した種別情報に対応する表示内容を抽出する抽出部と、抽出した表示内容を前記画像処理装置に送出する送出部とを有することを特徴とする写真処理装置。
【００１１】
（請求項３）画像処理装置から送られた画像データに基づいて画像を露光して潜像を形成する露光手段と該露光手段で形成された潜像を現像可視化する現像手段とを有する写真処理装置において、前記露光手段は、前記現像手段の種別情報を設定するための設定部と、該設定部で設定された現像手段の種別情報を登録する登録部と、該登録部に登録された種別情報を取得する取得部と、前記種別情報と表示内容を対応づけたテーブルから前記取得部で取得した種別情報に対応する表示内容を抽出する抽出部と、抽出した表示内容を表示する表示部と、抽出した表示内容を前記画像処理装置に送出する送出部とを有することを特徴とする写真処理装置。
【００１２】
（請求項４）前記表示内容は、写真プリントサイズ又は写真処理液の補充剤に対応する項目のいずれかを含むことを特徴とする請求項１、２又は３記載の写真処理装置。
【００１３】
（請求項５）前記テーブルは、種別情報を写真処理液の補充剤のいずれかと対応づけた第１のテーブルと、前記写真処理液の補充剤と表示内容を対応づけた第２のテーブルとからなることを特徴とする請求項４記載の写真処理装置。
【００１４】
（請求項６）前記写真処理液の補充剤は、液体型補充剤又は固体型補充剤であることを特徴とする請求項４又は５記載の写真処理装置。
【００１５】
（請求項７）前記露光手段と現像手段とが別体に構成されることを特徴とする請求項１、２、３、４、５又は６記載の写真処理装置。
【００１６】
（請求項８）画像処理装置から送られた画像データに基づいて画像を露光して潜像を形成する露光手段と該露光手段で形成された潜像を現像可視化する現像手段とを有する写真処理装置を制御する制御方法において、前記現像手段の種別情報を設定するための設定工程と、該設定工程で設定された現像手段の種別情報を登録する登録工程と、該登録工程において登録された種別情報を取得する取得工程と、前記種別情報と表示内容を対応づけたテーブルから前記取得工程で取得した種別情報に対応する表示内容を抽出する抽出工程と、抽出した表示内容を表示する表示工程とを有することを特徴とする写真処理装置の制御方法。
【００１７】
（請求項９）画像処理装置から送られた画像データに基づいて画像を露光して潜像を形成する露光手段と該露光手段で形成された潜像を現像可視化する現像手段とを有する写真処理装置を制御する制御方法において、前記現像手段の種別情報を設定するための設定工程と、該設定工程で設定された現像手段の種別情報を登録する登録工程と、該登録工程において登録された種別情報を取得する取得工程と、前記種別情報と表示内容を対応づけたテーブルから前記取得工程で取得した種別情報に対応する表示内容を抽出する抽出工程と、抽出した表示内容を前記画像処理装置に送出する送出工程とを有することを特徴とする写真処理装置の制御方法。
【００１８】
（請求項１０）画像処理装置から送られた画像データに基づいて画像を露光して潜像を形成する露光手段と該露光手段で形成された潜像を現像可視化する現像手段とを有する写真処理装置を制御する制御方法において、前記現像手段の種別情報を設定するための設定工程と、該設定工程で設定された現像手段の種別情報を登録する登録工程と、該登録工程において登録された種別情報を取得する取得工程と、前記種別情報と表示内容を対応づけたテーブルから前記取得工程で取得した種別情報に対応する表示内容を抽出する抽出工程と、抽出した表示内容を表示する表示工程と、該表示内容を前記画像処理装置に送出する送出工程とを有することを特徴とする写真処理装置の制御方法。
【００１９】
（請求項１１）前記表示内容は、写真プリントサイズ又は写真処理液の補充剤に対応する項目のいずれかを含むことを特徴とする請求項８、９又は１０記載の写真処理装置の制御方法。
【００２０】
（請求項１２）前記テーブルは、種別情報を写真処理液の補充剤と対応づけた第１のテーブルと、前記写真処理液の補充剤と表示内容を対応づけた第２のテーブルとからなることを特徴とする請求項１１記載の写真処理装置の制御方法。
【００２１】
（請求項１３）前記写真処理液の補充剤は、液体型補充剤又は固体型補充剤であることを特徴とする請求項１１又は１２記載の写真処理装置の制御方法。
【００２２】
（請求項１４）請求項８乃至請求項１３の何れかに記載の写真処理装置の制御方法を露光手段に実行させるプログラムであって、露光手段内に格納されることを特徴とするプログラム。
【００２３】
【発明の実施の形態】
以下、本発明の実施の形態を図面に基づいて説明する。
【００２４】
本発明の写真処理装置の特徴について、図１に基づいて以下詳細に説明する。
【００２５】
図１は、本発明の第１の態様の写真処理装置及び該写真処理装置の制御方法を説明するための機能ブロック図である。
【００２６】
写真処理装置１は、露光手段１０と現像手段２０とを有している。
【００２７】
露光手段１０は、現像手段２０の種別情報を設定するための設定部１１と、該設定部１１で設定された現像手段の種別情報を登録する登録部１２と、該登録部１２に登録された種別情報を取得する取得部１３、種別情報と表示内容を関連づけたテーブル１４から前記取得部１３で取得した種別情報に対応する表示内容を抽出する抽出部１５と、抽出した表示内容を表示する表示部１６とを有し、現像手段２０は、当該現像手段２０の種別情報を格納した図示しない種別情報格納部を有している。
【００２８】
本発明の写真処理装置１の前提となる構成は、露光手段１０で画像処理装置２から送られた画像データに基づいて画像を露光して潜像を形成し、現像手段２０で該露光手段１０で形成された潜像を現像可視化する。
【００２９】
露光手段１０は、画像処理装置２から送られる画像データに基づいて、レーザー等の光源によりフィルムを露光して、フィルム上に画像の潜像を形成する。潜像が形成されたフィルムは、現像手段２０により現像処理されることにより、画像が可視化される。
【００３０】
現像手段２０は、露光されたフィルムを現像可視化するための処理を行うための薬剤として写真処理剤を利用しており、現像処理を行うことにより該写真処理剤が消費される。かかる現像手段２０は、適宜に補充剤として写真処理剤が補充されることによって処理が行われる。補充剤には、錠剤型と液剤型があり、どちらの補充剤を利用できるかは、現像手段２０の機種によって決まっている。
【００３１】
本発明の写真処理装置１において、露光手段１０は、前記現像手段２０の種別情報を設定するための設定部１１と、該設定部１１で設定された現像手段２０の種別情報を登録する登録部１２と、該登録部１２に登録された種別情報を取得する取得部１３と、前記種別情報と表示内容を対応づけたテーブル１４から前記取得部１３で取得した種別情報に対応する表示内容を抽出する抽出部１５と、抽出した表示内容を表示する表示部１６とを有している。
【００３２】
設定部１１は、現像手段２０の種別情報を設定するために設けられる。種別情報とは、現像手段２０の機種を示す情報であり、該情報に基づいて現像手段２０の仕様が判断できる。例えば、種別情報によって現像手段２０が液剤型の補充剤を使用するタイプか、錠剤型の補充剤を使用するタイプかが分かる。
【００３３】
設定部１１で設定される種別情報は、ユーザが設定しやすいように、補助情報を表示してユーザに種別情報の設定をさせることが好ましい。このような補助情報を用いると、例えば、現像手段２０の仕様を示す情報を選択させてそれに対応する種別情報を表示させてユーザに選択させたりできるので、ユーザが楽に設定作業することができる。
【００３４】
設定部１１で設定された種別情報は、登録部１２によって登録される。例えば、読み書き可能な記録媒体に種別情報が記録されることによって登録される。
【００３５】
テーブル１４は、種別情報と表示内容を関連づけている。例えば、図２に示すようなテーブル１４ａを用いることができる。
【００３６】
表示内容は、写真プリントサイズ又は写真処理液の補充剤のいずれかを含んでいることが好ましい。
【００３７】
図２に示す例では、種別情報毎に「Ｐ３温調」、「ＡＣＲ４０接続」、「手動補水機能」に対する表示内容を関連づけている。
【００３８】
抽出部１５は、前記テーブル１４から前記取得部１３で取得した種別情報に対応する表示内容を抽出する。例えば、種別情報として「８６８ｓ」を取得した場合、表示内容は、「Ｐ３温調」については「あり」、「ＡＣＲ４０接続」については「なし」、「手動補水機能」については「あり」が抽出される。
【００３９】
表示手段１４は、抽出された種別情報に基づいて現像手段２０に関する情報を表示する。例えば、図３に示すように、「現像部機種」に対して「８６８ｓ」、「Ｐ３温調」については「あり」、「ＡＣＲ４０接続」については「なし」、「手動補水機能」については「あり」と液晶モニタ画面１４等に表示する。
【００４０】
また、前記態様以外にも、テーブル１４が第１のテーブルと第２のテーブルから構成される好ましい態様が考えられる。
【００４１】
この場合、図４に示すように補充剤の種類が種別情報に関連づけられたテーブル１４ｂを第１のテーブルとして構成し、図５に示すように該補充剤の種類と表示内容とを対応づけたテーブル１４ｃを第２のテーブルとして構成することができる。
【００４２】
テーブル１４が、図４及び図５に示すテーブルで構成されたとき、例えば、種別情報が「８６４ｓ」の場合、テーブル１４ｂから対応する補充剤の種類が固体型であるので、テーブル１４ｃから固体型に対応する表示項目である「処理温度表示／設定」、「エコジェット補正」、「タイマー設定」を抽出手段１３で抽出し、表示手段１４で図６（ａ）に示すように表示し、種別情報が「８６１ｐ」の場合、テーブル１４ｂから対応する補充剤の種類が液体型であるので、テーブル１４ｃから液体型に対応する表示項目である「処理温度表示／設定」、「補充補正」、「タイマー設定」を抽出手段１３で抽出し、表示手段１４で図６（ｂ）に示すように表示する。
【００４３】
同様に、テーブル１４ｃの表示内容によって、図７乃至図９に示すような表示手段１４による表示を行うことができる。図７（ａ）、図８（ａ）、図９（ａ）は固体型の補充剤の場合の表示例であり、図７（ｂ）、図８（ｂ）、図９（ｂ）は液体型の補充剤の場合の表示例である。
【００４４】
図中の表示内容を説明すると、「処理温度表示／設定」は、現像部の各処理液タンクの処理温度と乾燥処理温度の設定、並びに温調制御ＯＮ／ＯＦＦ、低温環境での温度保証ＯＮ／ＯＦＦを設定をするための表示である。「補充補正」は、液剤型補充剤を用いる機種の場合のみに表示され、補充液補充量の補正（微調整）を行う設定をするための表示である。「エコジェット補正」は、固体型補充剤を用いる機種の場合のみに表示され、エコジェット錠剤数の補正設定を行うための表示である。
【００４５】
「稼動状態確認」は、補充回数などの現像部状態を表示している。「手動補充」は、液体型補充剤を用いる機種の場合のみに表示され、１回分の補充を行う。「手動補充／補水」は、固体型補充剤を用いる機種の場合のみに表示され、投入タイミングで投入しなかった保留分の錠剤投入を行うための表示である。また、蒸発補水を行う。「強制カートリッジ終了」は、固体型補充剤を用いる機種の場合のみに表示され、錠剤カートリッジ１本分の初期カウント値をプリセットするための表示である。「定数設定」は、固体型補充剤を用いる機種の場合では、補充と給水、蒸発補水の基本値の設定を行い、液体型補充剤を用いる機種の場合は、補充の基本値の設定を行うための表示である。
【００４６】
「処理温度表示／設定」は、現像部の各処理液タンクの処理温度と乾燥処理温度の設定、並びに温調制御ＯＮ／ＯＦＦ、低温環境での温度保証ＯＮ／ＯＦＦを設定するための表示である。「補充設定」は、補充液補充量の補正（微調整）を行うための表示である。「補充／補水／蒸発補水」は、補充・補水・蒸発補水の補正（微調整）を行うための表示である。「状態表示」は、各種センサーの状態を表示する。「動作テスト」は、各種モーター、ヒーター、送風ファンのテスト動作を行うための表示である。「強制キット終了」は、錠剤１キット（１梱包）分の錠剤数カウント値に初期値をプリセットするための表示である。
【００４７】
これらの表示内容は、補充剤に対応づけて第２のテーブルとして構成されることが好ましい。
【００４８】
また、以上説明した態様では、表示内容として、写真処理液の補充剤に対応する項目を採用した場合を例に挙げて説明したが、表示内容として写真プリントサイズを採用しても良い。
【００４９】
表示内容として写真プリントサイズを採用した場合は、例えば、図１０に示すように、Ｌ判（リバーサル）、２Ｌ判（リバーサル）、ポストカード、ＣＤサイズ、Ｂ３、Ａ３の記録媒体に対してプリントすることができる旨の表示を表示部１６で行うことができる。記録媒体は、現像手段の機種によってプリント可能なサイズが決まってくるので、取得手段１１において取得した種別情報を元に写真プリントサイズが決定される。図１０に示す例の場合、テーブル１４として種別情報と写真プリントサイズとを関連づけたテーブルを採用することができる。
【００５０】
本発明の写真処理装置１の露光手段１０と現像手段２０は、別体に構成されることが好ましい。
【００５１】
以上説明した写真処理装置１の他に、第２の態様として図１１に示すように、表示部１６の代わりに画像処理装置２に表示内容を送出可能な送出部１７を設けた態様が考えられる。その他、第３の態様として、図１２に示すように、表示部１６及び送出部１７の両方を備えた態様の写真処理装置１が考えられる。これら第２の態様及び第３の態様の写真処理装置における写真処理装置の制御方法では、抽出した表示内容を前記画像処理装置に送出する送出工程は、送出部１７によって実現される。
【００５２】
また、以上説明した写真処理装置１における写真処理装置の制御方法をプログラム化して当該写真処理装置の露光手段内に格納することにより、前記写真処理装置の制御方法を露光手段により実現することができる。
【図面の簡単な説明】
【図１】本発明の第１の態様の写真処理装置及び該写真処理装置の制御方法を説明するための機能ブロック図
【図２】種別情報と表示内容とを関連づけたテーブル例
【図３】モニタ画面における表示例
【図４】種別情報と補充剤とを関連づけたテーブル例
【図５】補充剤と表示項目とを関連づけたテーブル例
【図６】モニタ画面における表示例
【図７】モニタ画面における表示例
【図８】モニタ画面における表示例
【図９】モニタ画面における表示例
【図１０】モニタ画面における表示例
【図１１】本発明の第２の態様の写真処理装置及び該写真処理装置の制御方法を説明するための機能ブロック図
【図１２】本発明の第３の態様の写真処理装置及び該写真処理装置の制御方法を説明するための機能ブロック図
【符号の説明】
１：写真処理装置
２：画像処理装置
１０：露光手段
１１：設定部
１２：登録部
１２：テーブ
１３：取得部
１４：テーブル
１４ａ、１４ｂ、１４ｃ：テーブル
１５：抽出部
１６：表示部
１７：送出部
２０：現像手段
２１：種別情報格納部
【図１】
2005043589.tif 000003
【図２】
2005043589.tif 000004
【図３】
2005043589.tif 000005
【図４】
2005043589.tif 000006
【図５】
2005043589.tif 000007
【図６】
2005043589.tif 000008
【図７】
2005043589.tif 000009
【図８】
2005043589.tif 000010
【図９】
2005043589.tif 000011
【図１０】
2005043589.tif 000012
【図１１】
2005043589.tif 000013
【図１２】
2005043589.tif 000014